【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
ユーザ対話の監視を容易にするための方法であって、
バックエンドシステムに対して要求を送信させるユーザ開始イベントに関する意味情報をクライアントシステムにおいて取込むステップと、
少なくとも１つの特別なパラメータを用いて、ユーザ開始イベントについての意味情報のうち少なくともいくらかをクライアントシステムからバックエンドシステムに渡すステップと、
意味情報のうち少なくともいくらかを、要求の処理時にバックエンドシステムによって実行される１つ以上の動作とリンクさせるための識別子をクライアントシステムにおいて受取るステップとを含む、方法。
【請求項２】
ユーザ開始イベントに関する意味情報は、ユーザ開始イベントのクライアント開始時間、ユーザ開始イベントのクライアント終了時間、イベント情報および部分ターゲットのうち少なくとも１つを含む、請求項１に記載の方法。
【請求項３】
イベント情報は、イベントタイプ、コンポーネントタイプ、コンポーネントクライアント識別子、コンポーネントディスプレイ名、領域名および領域ビュー識別子のうち少なくとも１つを含む、請求項２に記載の方法。
【請求項４】
少なくとも１つの特別なパラメータを用いて、ユーザ開始イベントについての意味情報のうち少なくともいくらかをクライアントシステムからバックエンドシステムに渡すステップは、さらに、
バックエンドシステムに対する要求に少なくとも１つの特別なパラメータを含めるステップを含む、請求項１から３のいずれかに記載の方法。
【請求項５】
要求は、ユーザ開始イベントに応答して生成される要求である、請求項４に記載の方法。
【請求項６】
要求は、後続のユーザ開始イベントによって生成される要求である、請求項４に記載の方法。
【請求項７】
バックエンドシステムに対する要求に少なくとも１つの特別なパラメータを含めるステップは、さらに、
ユーザ開始イベントに関する意味情報が現在のウェブページで記憶されていると判断したことに応答して、少なくとも１つの特別なパラメータについての、現在のウェブページで記憶されている意味情報のうち少なくともいくらかを用いるステップと、
ユーザ開始イベントに関する意味情報が現在のウェブページで記憶されていないと判断したことに応答して、少なくとも１つの特別なパラメータについての、二次記憶装置に記憶された意味情報のうち少なくともいくらかを用いるステップとを含む、請求項６に記載の方法。
【請求項８】
バックエンドシステムに対して要求を送信させるユーザ開始イベントに関する意味情報をクライアントシステムにおいて取込むステップはさらに、
意味情報のうち少なくともいくらかを二次記憶装置に記憶するステップをさらに含む、請求項１から７のいずれかに記載の方法。
【請求項９】
結果としてクライアントシステムから少なくとも１つの二次要求が送信されることとなるユーザ開始イベントに応答して、要求が二次要求であることを示すインジケータを少なくとも１つの二次要求に含めるステップをさらに含む、請求項１から８のいずれかに記載の方法。
【請求項１０】
ユーザ対話の監視を容易にするための方法であって、
クライアントシステムにおいて開始される少なくとも１つのイベントについての要求およびユーザ作業関連データをバックエンドシステムにおいて受取るステップを含み、前記ユーザ作業関連データは、少なくとも１つの容易に識別可能なパラメータを用いてバックエンドシステムに伝達され、前記方法はさらに、
処理されている要求に応答して、処理された要求についての応答に少なくとも１つの容易に識別可能なパラメータを含めるステップを含み、前記少なくとも１つの容易に識別可能なパラメータは、要求の処理時にバックエンドシステムによって実行される１つ以上の動作を、要求を開始したクライアント開始イベントと関連付けるための少なくとも一意的な識別子を含む、方法。
【請求項１１】
クライアントシステムにおいて開始された少なくとも１つのイベントについてのユーザ作業関連データは、
要求に連付けられたユーザ作業関連データと、
以前の要求に関連付けられたユーザ作業関連データとのうち少なくとも１つを含む、請求項１０に記載の方法。
【請求項１２】
以前の要求に関連付けられたユーザ作業関連データは、以前の要求のクライアント開始時間、以前の要求の完了のクライアント終了時間、および、以前の要求を処理する際にバックエンドシステムによって実行される１つ以上の動作を関連付けるための一意的な識別子のうち少なくとも１つを含む、請求項１１に記載の方法。
【請求項１３】
ユーザ作業関連データは、要求のクライアント開始時間、部分ターゲット、イベントタイプ、コンポーネントタイプ、コンポーネントクライアント識別子、コンポーネントディスプレイ名、領域名および領域ビュー識別子のうち少なくとも１つを含む、請求項１１に記載の方法。
【請求項１４】
クライアント開始イベントはユーザ開始動作に対する二次要求であり、少なくとも１つの容易に識別可能なパラメータはさらに、応答が二次要求に対する二次応答であることの表示を含む、請求項１０から１３のいずれかに記載の方法。
【請求項１５】
方法であって、
クライアントシステムによって取込まれたデータを含むユーザ開始動作に関するデータを識別する１つ以上のユーザ作業監視パラメータのために、クライアントシステムとバックエンドシステムとの間のネットワークトラフィック対話を監視するステップと、
ユーザ開始動作に関するデータを含むユーザ作業監視パラメータを含むネットワークトラフィック対話に応答して、ネットワークトラフィック対話をパースして、ユーザ開始動作に関するデータを抽出するステップと、
抽出されたデータを用いて、ユーザ開始動作に関するユーザの動作を判断または推論するステップとを含む、方法。
【請求項１６】
ユーザ開始動作に関するデータは、クライアント開始時間、クライアント終了時間、部分ターゲット、イベントタイプ、コンポーネントタイプ、コンポーネントクライアント識別子、コンポーネントディスプレイ名、領域名、および領域ビュー識別子のうち少なくとも１つを含む、請求項１５に記載の方法。
【請求項１７】
ユーザ開始動作に関するデータを識別する１つ以上のユーザ作業監視パラメータは、要求および応答のうち少なくとも１つに含まれる、請求項１６に記載の方法。
【請求項１８】
ユーザ開始動作に関するデータのうち少なくともいくらかを要求の処理時にバックエンドシステムによって実行される１つ以上の動作とリンクさせる識別子を、抽出されたデータから受取るステップをさらに含む、請求項１５から１７のいずれかに記載の方法。
【請求項１９】
１つ以上のマイクロプロセッサ上で動作し、ユーザ対話の監視を容易にするためのシステムであって、
バックエンドシステムに対して要求を送信させるユーザ開始イベントに関する意味情報をクライアントシステムにおいて取込むためのクライアントモジュールを含み、
前記クライアントモジュールは、少なくとも１つの特別なパラメータを用いて、ユーザ開始イベントについての意味情報のうち少なくともいくらかをクライアントシステムからバックエンドシステムに渡すためのものであり、
前記クライアントモジュールは、意味情報のうち少なくともいくらかを、要求の処理時にバックエンドシステムによって実行される１つ以上の動作とリンクさせるための識別子をクライアントシステムにおいて受取るためのものである、システム。
【請求項２０】
１つ以上のマイクロプロセッサ上で動作し、ユーザ対話の監視を容易にするためのシステムであって、
クライアントシステムにおいて開始された少なくとも１つのイベントについての要求およびユーザ作業関連データを受取るためのバックエンドシステムを含み、前記ユーザ作業関連データは、少なくとも１つの容易に識別可能なパラメータを用いてバックエンドシステムに伝達され、
前記バックエンドシステムは、処理されている要求に応答して、少なくとも１つの容易に識別可能なパラメータを、処理された要求についての応答に含めるためのものであり、前記少なくとも１つの容易に識別可能なパラメータは、要求の処理時にバックエンドシステムによって実行される１つ以上の動作を、要求を開始したクライアント開始イベントに関連付けるための少なくとも一意的な識別子を含む、システム。
【請求項２１】
請求項１から１８のいずれかに記載の方法をコンピュータに実行させるためのプログラム。